(57)【特許請求の範囲】
【請求項１】
ひな段状に複数の段部を有する段状下地と、
前記段状下地の各段部に水平に配置される段板と、
上下に隣り合う段板の先端部及び基端部間に垂直に配置される蹴込板と、
前記段板の先端部における段鼻部に設けられる段鼻カバーとを備え、
前記段板の基端部上面に階段幅方向に沿って蹴込板挿入溝が設けられるとともに、先端部下面に蹴込板係止用段部が設けられ、
前記段鼻カバーが、前記段板の段鼻部上面に対応する水平部と、その水平部の先端から下方に延びて段鼻部先端面に対応する垂直部と、その垂直部の下端から裏面側に向けて斜め下方に延びる傾斜部と、その傾斜部の裏面側に設けられた蹴込板抑止部とを有し、
前記段板の段鼻部と、蹴込板挿入溝よりも基端側の部分とが、釘、ビス等の釘類により前記段状下地に固定される一方、前記蹴込板の下端部が、上下に隣り合う段板における下側の段板の蹴込板挿入溝に挿入されるとともに、上端部裏面側が上側の段板の蹴込板係止用段部に対応して配置された状態で、前記段鼻カバーが前記段鼻部に嵌着されることにより、前記段鼻カバーの水平部及び垂直部が段鼻部上面及び段鼻部先端面上に配置されるとともに、前記傾斜部が、段鼻部先端面下端から蹴込板上端部表面にかけて傾斜姿勢に配置され、前記蹴込板抑止部により前記蹴込板の上端部が前記蹴込板係止用段部側に抑止されてなることを特徴とするひな段型階段。
【請求項２】
前記段鼻カバーの水平部裏面側に嵌合脚部が突設されるとともに、その嵌合脚部に対応して、前記段鼻部に脚部嵌合溝が設けられ、前記嵌合脚部が前記脚部嵌合溝に嵌合されることにより、前記段鼻カバーが前記段鼻部に固定されてなる請求項１記載のひな段型階段。
【請求項３】
前記蹴込板抑止部が前記段鼻カバーの傾斜部下端裏面側に設けられ、その蹴込板抑止部が前記蹴込板の表面に当接して蹴込板を抑止した状態においては、前記傾斜部下端と前記蹴込板表面との間に隙間が形成されてなる請求項１又は２記載のひな段型階段。
【請求項４】
前記段鼻カバーの裏面側における垂直部と傾斜部との間に、段鼻部の先端面下端コーナー部に係止する挟着用凸部が形成され、前記挟着用凸部と前記段鼻カバーの水平部とで前記段鼻部を挟持することにより、前記段鼻カバーが前記段鼻部に固定されてなる請求項１ないし３のいずれかに記載のひな段型階段。
【発明の詳細な説明】
【０００１】
【発明の属する技術分野】
この発明は、戸建て住宅の内階段等として好適に使用されるひな段型階段に関する。
【０００２】
【従来の技術】
戸建て住宅等における木製内階段として、ひな段型階段が周知である。
【０００３】
従来のひな段型階段としては、例えば図１９及び図２０に示すように、ひな段状に複数の段部（１ａ）を有する左右一対の側板（１）に、段部（１ａ）の内面に沿って釘打ち等により桟材（２）が固定される一方、一対の側板（１）間において対応する段部（１ａ）に架け渡すように段板（３）が配置され、下面側から桟材（２）に釘（４）が打ち込まれて段板（３）に固定されるものがある。
【０００４】
【発明が解決しようとする課題】
しかしながら、上記従来のひな段型階段においては、段板（３）を階段に対し前面側から配置した後、その段板（３）を固定するのに、面倒にも、階段裏面側（下面側）から釘（４）を打ち込むという作業が必要であり、しかも段板（３）の裏面側は、スペース的にゆとりがなく、限られた狭い作業スペース内において、上記したように下面側からの面倒な釘打ち作業を行う必要があるので、施工作業が非常に面倒であるという問題を抱えている。
【０００５】
なお、側板（１）の段部（１ａ）に載置された段板（３）を、その上面側から釘を打ち込んで側板（１）や桟材（２）等に固定する場合には、釘打ち作業を階段前面側から行うことができ、良好な作業性を得ることができる。しかしながら、この構造では、釘の頭部が段板（３）の表面に露出して、著しく美観を損なうため、施工後に、幅木を取り付けて釘の頭部を隠蔽するような作業が別途必要となるので、作業工数が多くなり、一段と施工作業が面倒になるという問題が発生する。
【０００６】
この発明は、上記従来技術の問題を解消し、階段前面側からの作業のみで簡単に施工することができ、しかも釘類等が表面に露出するようなことがなく、良好な美観を得ることができるひな段型階段を提供することを目的とする。
【０００７】
【課題を解決するための手段】
上記目的を達成するため、この発明のひな段型階段は、ひな段状に複数の段部を有する段状下地と、前記段状下地の各段部に水平に配置される段板と、上下に隣り合う段板の先端部及び基端部間に垂直に配置される蹴込板と、前記段板の先端部における段鼻部に設けられる段鼻カバーとを備え、前記段板の基端部上面に階段幅方向に沿って蹴込板挿入溝が設けられるとともに、先端部下面に蹴込板係止用段部が設けられ、前記段鼻カバーが、前記段板の段鼻部上面に対応する水平部と、その水平部の先端から下方に延びて段鼻部先端面に対応する垂直部と、その垂直部の下端から裏面側に向けて斜め下方に延びる傾斜部と、その傾斜部の裏面側に設けられた蹴込板抑止部とを有し、前記段板の段鼻部と、蹴込板挿入溝よりも基端側の部分とが、釘、ビス等の釘類により前記段状下地に固定される一方、前記蹴込板の下端部が、上下に隣り合う段板における下側の段板の蹴込板挿入溝に挿入されるとともに、上端部裏面側が上側の段板の蹴込板係止用段部に対応して配置された状態で、前記段鼻カバーが前記段鼻部に嵌着されることにより、前記段鼻カバーの水平部及び垂直部が段鼻部上面及び段鼻部先端面上に配置されるとともに、前記傾斜部が、段鼻部先端面下端から蹴込板上端部表面にかけて傾斜姿勢に配置され、前記蹴込板抑止部により前記蹴込板の上端部が前記蹴込板係止用段部側に抑止されてなるものを要旨としている。
【０００８】
この発明のひな段型階段においては、段板、蹴込板及び段鼻カバー等の階段構成部材を、階段前面側から配設しつつ、各段板を、その上面側から釘類により側板等の段状下地に固定することができる。
【０００９】
更に段板の基端側を固定している釘類は、蹴込板により隠蔽されるとともに、段板の段鼻部を固定している釘類は、段鼻カバーによって隠蔽されるので、釘類が表面に露出するようなことはない。
【００１０】
一方、本発明においては、前記段鼻カバーの水平部裏面側に嵌合脚部が突設されるとともに、その嵌合脚部に対応して、前記段鼻部に脚部嵌合溝が設けられ、前記嵌合脚部が前記脚部嵌合溝に嵌合されることにより、前記段鼻カバーが前記段鼻部に固定されてなる構成を採用するのが好ましい。
【００１１】
すなわちこの構成を採用する場合、段鼻カバーを段板に、より確実に固定することができる。
【００１２】
また本発明においては、前記蹴込板抑止部が前記段鼻カバーの傾斜部下端裏面側に設けられ、その蹴込板抑止部が前記蹴込板の表面に当接して蹴込板を抑止した状態においては、前記傾斜部下端と前記蹴込板表面との間に隙間が形成されてなる構成を採用するのが良い。
【００１３】
すなわちこの構成を採用する場合には、段鼻カバーの傾斜部下端と蹴込板との間に陰影部分としての隙間が形成されるので、仮に組付誤差等の影響により、蹴込板抑止部と蹴込板との間に隙間が形成されていようとも、上記陰影部分に美観的に悪影響が及ぶことがなく、良好な美観を維持することができる。
【００１４】
更に本発明においては、前記段鼻カバーの裏面側における垂直部と傾斜部との間に、段鼻部の先端面下端コーナー部に係止する挟着用凸部が形成され、前記挟着用凸部と前記段鼻カバーの水平部とで前記段鼻部を挟持することにより、前記段鼻カバーが前記段鼻部に固定されてなる構成を採用するのが望ましい。
【００１５】
すなわちこの構成を採用する場合には、段鼻カバーを、より安定した状態に段鼻部に固定することができる。
【００１６】
【発明の実施の形態】
＜第１の実施形態＞
図１はこの発明の第１の実施形態であるひな段型階段を示す断面図である。同図に示すように、このひな段型階段は、段状下地としての左右一対の側板（１０）と、側板（１０）に段状に配置される複数の段板（２０）と、上下に隣り合う段板（２０）の先端部及び基端部間に垂直に配置される蹴込板（３０）と、段板（２０）の先端部における段鼻部（２１）に設けられる段鼻カバー（４０）とを基本的な構成要素として備えている。
【００１７】
一対の側板（１０）は、図１及び図４（ａ）に示すように、ひな段状に形成されて、水平に配置される複数の段部（１１）を有しており、互いの段部（１１）を対応させて、平行に並んだ状態で例えば家屋構造物等に固定されている。
【００１８】
本実施形態において、側板（１０）は、木質製のものが使用されており、例えば合板、単板積層材、集成材、中質繊維板等の木質系材が単独で又は２種以上組み合わされたものを好適に使用することができる。
【００１９】
また側板（１０）は、施工後に露出する部分について、化粧が施されている。この化粧手段としては、例えば紙、合成樹脂シート等の模様印刷シートや、化粧単板を貼着する手段の他に、着色処理や、塗装処理等を行うような手段がある。
【００２０】
なお、側板（１０）は、図４（ａ）に示すように、必ずしも階段状に形成される必要はなく、複数の段部（１１）がひな段状に設けられてさえすれば良い。例えば側板加工上の都合等を考慮して、図４（ｂ）に示すように、側板（１０）の段部（１１）と垂直部（１２）との間に、円弧状の切欠部（１３ｂ）や、同図（ｃ）に示すように半長円形の切欠部（１３ｃ）や、同図（ｄ）に示すように、円弧状の切欠部（１３ｂ）と矩形の切欠部（１３ｄ）とが組み合わさったような切欠部が形成されていても良い。
【００２１】
図１ないし図３、及び図５に示すように、段板（２０）は、上記一対の側板（１０）間に架け渡し得る幅（長さ）を有しており、先端の段鼻部（２１）の上面側には、階段幅方向（図１の紙面に向かって垂直方向）に沿ってカバー装着用凹段部（２２）が形成されるとともに、その凹段部（２２）の後端縁部に、階段幅方向に沿って脚部嵌合溝（２３）が形成されている。更に段板（２０）の下面側先端部には、階段幅方向に沿って蹴込板係止用段部（２５）が形成されるとともに、上面側後端縁部には、階段幅方向に沿って蹴込板挿入溝（２６）が形成されている。
【００２２】
なお、本発明においては、図６（ａ）に示すように、段板（２０）の下面側における蹴込板係止用段部（２５）に沿って、階段幅方向に沿って桟材（２７）を取り付けて、蹴込板掛止用段部（２５）の段高さを高く形成したり、同図（ｂ）に示すように、下面側が平坦な段板（２０）の前部下面に、階段幅方向に沿って桟材（２７）を取り付けて、蹴込板係止用段部（２５）を形成するようにしても良い。また同図（ａ）（ｂ）に示すように桟材（２７）を取り付ける場合、桟材（２７）は、必ずしも階段幅方向に沿って連続的に取り付ける必要はなく、部分的に取り付けるようにしても良い。例えば、段板（２０）の両端部、すなわち段板（２０）の段部（１１）に載置する部分には、桟材を設けないものも一例として挙げられる。
【００２３】
本実施形態において、段板（２０）としては、例えば合板、単板積層材、集成材、中質繊維板、硬質繊維板、パーティクルボード等の木質材を、単独又は２種以上組み合わせたものを好適に使用することができる。
【００２４】
また段板（２０）の段鼻部（２１）を除く上面側には、紙、合成樹脂シート等の模様印刷シートを貼着したり、あるいは着色処理や、塗装処理を行うことにより、任意の化粧が施されている。
【００２５】
この段板（２０）が、上記一対の側板（１０）間に架け渡すように、対応する各段部（１１）上に配置され、その状態で、上面側（前面側）から、段板（２０）の脚部嵌合溝（２３）に、釘、スクリュー釘、木ねじ、ビス等の釘類（５３）が打ち込まれて、側板（１０）に固定されるとともに、同様に、段板（２０）の蹴込板挿入溝（２６）に、釘類（５６）が打ち込まれて、側板（１０）に固定される。
【００２６】
図１ないし図３に示すように、蹴込板（３０）は、段板（２０）よりも薄く、例えば合板、中質繊維板、硬質繊維板等の木質材を、単独又は２種以上組み合わせたものにより構成されている。
【００２７】
この蹴込板（３０）の下端縁が、上下に隣り合う段板（２０）のうち、下側の段板（２０）の基端側上面における蹴込板挿入溝（２６）に挿入されるとともに、上端縁の裏面側が、上側の段板（２０）の先端側下面における蹴込板係止用段部（２５）に当接係止可能な状態に配置される。これにより、蹴込板挿入溝（２６）内に打ち込まれた釘類（５６）の頭部が、蹴込板（３０）の裏面側に配置されて、階段前面側から隠蔽される。
【００２８】
なお、図６（ａ）（ｂ）に示すように、段板（２０）の蹴込板係止用段部（２５）に桟材（２７）を取り付けているような場合には、図７に示すように蹴込板（３０）の上端部を、釘類（５７）により桟材（２７）に固定するようにしても良い。もっとも、桟材（２７）が取り付けられていなくとも、段板（２０）の蹴込板係止用段部（２５）に、蹴込板（３０）の上端部を釘類（５７）により固定しても良い。
【００２９】
段鼻カバー（４０）は、段板（２０）の段鼻部（２１）におけるカバー装着用凹段部（２２）に対応する水平部（４１）と、その水平部（４１）の先端から下方に垂直に延び、かつ段鼻部（２１）の先端面に対応する垂直部（４５）と、垂直部（４５）の下端から裏面側に向けて斜め下方に延び、かつ段鼻部（２１）の先端面下端から蹴込板（３０）の前面上部にかけての部分に対応する傾斜部（４６）とを有している。
【００３０】
水平部（４１）の後端縁には、垂直下方に延びる嵌合脚部（４３）が階段幅方向に沿って一体的に設けられるとともに、図３に示すようにこの脚部（４３）の周側面には、抜止め突起（４４）が一体的に形成されている。
【００３１】
更に水平部（４１）の上面には、階段幅方向に沿って滑り止め溝（４２）が複数形成されている。
【００３２】
また段鼻カバー（４０）の裏面側における垂直部（４５）と傾斜部（４６）との間には、階段幅方向に沿って挟着用凸部（４８）が形成されている。
【００３３】
更に段鼻カバー（４０）の傾斜部（４６）における下端裏面側には、傾斜部下端が裏面側に折返されるようにして、蹴込板抑止部としての折返し部（４７）が、階段幅方向に沿って形成されている。
【００３４】
なお本実施形態において、段鼻カバー（４０）は、例えばＡＢＳ（アクリロニトリル・ブタジエン・スチレン）樹脂、ポリプロピレン樹脂、ポリスチレン樹脂、ポリ塩化ビニル樹脂に、木粉、合成繊維、無機質繊維、天然繊維等が混入された樹脂組成物を、押出成形等により熱成形した樹脂成形品（合成木材）からなるものを好適に使用することができる。
【００３５】
この構成の段鼻カバー（４０）は、その嵌合脚部（４３）を段板（２０）の脚部嵌合溝（２３）に嵌着してから、水平部（４１）に対し、垂直部（４５）を傾斜部（４６）と共に前方（外側）に押し開くように弾性変形させて、その状態で水平部（４１）を段鼻部（２１）の上面に配置させた後、垂直部（４５）を弾性復帰させることにより、段鼻部（２１）に嵌着される。
【００３６】
ここで本実施形態においては、段鼻カバー（４０）の水平部（４１）と垂直部（４５）との内角が、直角よりも小さく、つまり段鼻部（２１）の上面と先端面との角度よりも小さく設定されており、段鼻カバー（４０）を段鼻部（２１）に装着した状態においては、段鼻カバー（４０）の弾性力に基づき、段鼻カバー（４０）の挟着用凸部（４８）と嵌合脚部（４３）とにより、段鼻部（２１）が挟持されて、段鼻カバー（４０）が確実に固定される。
【００３７】
こうして段鼻カバー（４０）の水平部（４１）及び垂直部（４５）が、段鼻部（２１）の上面及び先端面に適合状態に配置されるとともに、段鼻カバー（４０）の傾斜部（４６）が、段鼻部（２１）の先端面下端から蹴込板（３０）の上部表面にかけての部分に傾斜姿勢に配置されて、段板（２０）の脚部嵌合溝（２３）に打ち込まれた釘類（５３）の頭部が覆われて隠蔽される。
【００３８】
また段鼻カバー（４０）における傾斜部（４６）の折返し部（４７）裏面側は、蹴込板（３０）の上部表面に弾性接触して、傾斜部（４６）の下端と蹴込板（３０）との間に、隙間が形成され、その隙間に対応する蹴込板（３０）の領域が、陰影部分として形成される。
【００３９】
また段鼻カバー（４０）の水平部（４１）は、段板（２０）のカバー装着用凹段部（２２）に適合配置されて、段鼻カバー水平部（４１）の上面が、段板（２０）の中間領域上面に対し、同一の平坦面上に配置される。
【００４０】
以上の構成のひな段型階段は、例えば以下のような手順で施工される。
【００４１】
まず側板（１０）の最下段の位置に蹴込板（３０）を設置するとともに、最下段の段部（１１）に最下段の段板（２０）を載置して、その段板（２０）を、釘類（５３）（５６）により側板（１０）に固定する。更に上記したように段板（２０）の段鼻部（２１）に段鼻カバー（４０）を装着して、そのカバー（４０）により、段鼻部（２１）を被覆する。
【００４２】
続いて最下段の段板（２０）の蹴込板挿入溝（２６）に、２番目の蹴込板（３０）の下端縁を挿入するとともに、側板（１０）の２段目の段部（１１）に段板（２０）を載置し、その段板（２０）を釘類（５３）（５６）により固定して、段鼻カバー（４０）を装着する。
【００４３】
以下同様にして、上段側に向けて、蹴込板（３０）、段板（２０）及び段鼻カバー（４０）を順次取り付けていくことにより、本実施形態のひな段型階段の施工が完了する。
【００４４】
以上のように、本実施形態のひな段型階段によれば、段板（２０）、蹴込板（３０）及び段鼻カバー（４０）等の階段構成部材を、階段前面側から配設しつつ、各段板（２０）を、その上面側（前面側）から釘類（５３）（５６）を打ち込んで側板（１０）に固定するものであるため、階段施工作業をすべて階段前面側から行うことができる。従って上記従来技術のように、階段裏面からの面倒な釘打ち作業等が不要となり、階段施工作業を簡単に行うことができる。
【００４５】
更に段板（２０）の基端側、つまり蹴込板挿入溝（２６）に打ち込まれた釘類（５６）の頭部は、蹴込板（３０）により隠蔽されるとともに、段板（２０）の先端側、つまり脚部嵌合溝（２３）に打ち込まれた釘類（５３）の頭部は、段鼻カバー（４０）によって隠蔽されるので、釘類（５３）（５６）の頭部が表面側に露出するようなことがなく、良好な美観を確保することができる。
【００４６】
また本実施形態においては、段板（２０）を側板（１０）に固定するものであるため、段板固定用として側板に桟材等を取り付ける必要がなく、工数が削減し、より一層、施工作業を簡単に行うことができる。
【００４７】
また本実施形態においては、段鼻カバー（４０）の傾斜部（４６）における折返し部（４７）を、蹴込板（３０）に弾接させて、蹴込板（３０）を裏面側の蹴込板係止用段部（２５）側に抑止しているため、蹴込板（３０）の上部が、段板（２０）の蹴込板係止用段部（２５）に確実に当接係止して、蹴込板（３０）のがたつき等を防止することができる。
【００４８】
しかも本実施形態においては、図２等に示すように、段鼻カバー（４０）の折返し部（４７）を蹴込板（３０）に弾接させて、段鼻カバー（４０）の傾斜部（４６）の下端（４６ａ）と、蹴込板（３０）との間に陰影部分としての隙間を形成しているため、組付誤差等による美観低下を防止することができる。すなわち仮に傾斜部（４６）に折返し部（４７）を形成せずに、傾斜部（４６）の下端（４６ａ）を直接蹴込板（３０）に接触させるような場合、組付誤差等により、傾斜部（４６）の下端（４６ａ）と蹴込板（３０）との間に部分的に隙間が形成される場合があるが、そのような場合には、その隙間が目立って、美観を著しく損なう恐れがある。これに対し、本実施形態の階段では、段鼻カバー（４０）の折返し部（４７）の裏面側を蹴込板（３０）に当接させて、傾斜部下端（４６ａ）と蹴込板（３０）との間に陰影部分を形成しておくようにしているため、仮に組付誤差等により、折返し部（４６）と蹴込板（３０）との間に隙間が形成されていようとも、その隙間によって、上記陰影部分に外観上悪影響が及ぶことがなく、良好な美観を維持することができる。
【００４９】
また段鼻カバー（４０）の傾斜部（４６）は、段板（２０）の先端から蹴込板（３０）の上部にかけて傾斜した姿勢に配置されているため、つま先が段鼻部（２１）の下面（見返し部）に引っかかるような不具合を確実に防止することができる。すなわち、階段を昇る際等に、不注意にも、つま先が段鼻部下面に引っかかりそうになったとしても、つま先は傾斜部（４６）の前面に沿ってガイドされて、引っかかりが防止される。このため、つま先が段鼻部（２１）下面に引っかかることはなく、つまづいてしまう等の不具合を確実に防止することができる。
【００５０】
また段鼻カバー（４０）の水平部（４１）の上面に、滑り止め溝（４２）を形成しているため、階段を昇り降りする際に、滑ってしまうような不具合も有効に防止することができる。
【００５１】
なお上記実施形態においては、段鼻カバー（４０）を段板（２０）に装着した際に、水平部（４１）の上面が、段板（２０）の中間領域上面に対し面一となるように構成しているが、本発明はそれだけに限られず、例えば図８に示すように、段鼻カバー（４０）の水平部（４１）の肉厚を厚くしたり、あるいは段板（２０）のカバー装着用凹段部（２２）の深さを浅く形成することにより、段鼻カバー（４０）を段板（２０）に装着した際に、水平部（４１）の上面が、段板（２０）の中間領域上面よりも上位に配置されるように構成しても良い。この場合、水平部（４１）の段板側端部を面取り状の傾斜面として形成し、段板（２０）の中間領域上面に対し、段差が形成されないようにするのが望ましい。
【００５２】
また上記実施形態においては、段鼻カバー（４０）の裏面に挟着用凸部（４８）を形成して、この凸部（４８）と嵌合脚部（４３）とにより段板（２０）の段鼻部（２１）を挟持するようにしているが、本発明においては、例えば図９に示すように、段鼻カバー（４０）に挟着用凸部（４８）を形成せずに、嵌合脚部（４３）の段板（２０）の脚部嵌合溝（２３）への嵌着作用により、段鼻カバー（４０）を段板（２０）に固定できるように構成しても良い。更には図１０に示すように、段鼻カバー（４０）の水平部（４１）に嵌合脚部（４３）を複数設けるとともに、それに対応させて、段板（２０）側の脚部嵌合溝（２３）も複数本設け、各脚部（４３）を、各脚部嵌合溝（２３）に嵌着することにより、段鼻カバー（４０）を固定するように構成しても良い。
【００５３】
また本発明においては、段板（２０）の先端側を固定するための釘類（５３）を、必ずしも段板（２０）の脚部嵌合溝（２３）に打ち込む必要はなく、段板（２０）の段鼻カバー（４０）により覆われる領域であればどの位置に打ち込んでも良い。例えば図１１に示すように、釘類（５３）を段板（２０）のカバー装着用凹段部（２２）の中間位置に打ち込むようにしても良い。更に、段板（２０）の基端側を固定するための釘類（５６）は、蹴込板（３０）の裏面側であればどの位置に打ち込んでも良く、例えば図１１に示すように、釘類（５６）を段板（２０）の蹴込板挿入溝（２６）よりも基端側（裏面側）の位置に打ち込むようにしても良い。
【００５４】
更に上記実施形態においては、段板（２０）に段鼻カバー装着用凹段部（２２）を形成しているが、本発明においては、図１２に示すように、段板（２０）に段鼻カバー装着用凹部（２２）を形成しなくとも良い。この場合においても、上記図８と同様、水平部（４１）の段板側端部を傾斜面として形成し、段板（２０）の中間領域上面に対し、段差が形成されないようにするのが良い。
【００５５】
また本発明においては、傾斜部（４６）の下端と蹴込板（３０）との間に隙間を形成する場合、必ずしも、蹴込板抑止部を、傾斜部（４６）の下端を裏面側に折り返すように形成した折返し部（４７）により構成する必要はなく、例えば傾斜部裏面側に凸部を設けて、その凸部を蹴込板抑止部として構成しても良く、要は傾斜部（４６）の最下端位置と蹴込板（３０）との間に隙間を形成できるような構成であれば、どのような構成を用いても良い。
【００５６】
＜第２の実施形態＞
図１３ないし図１７はこの発明の第２の実施形態であるひな段型階段を示す図である。これらの図に示すように、この第２の実施形態におけるひな段型階段は、段状下地として金属製階段構造体（１１０）が使用されている。
【００５７】
この階段構造体（１１０）は、図１６及び図１７に示すように、互いに平行に並んだ状態で傾斜姿勢に配置されるリップ溝型鋼板製の一対の側フレーム（１１１）（１１１）を有している。更に側フレーム（１１１）（１１１）の上面間には、フレーム長さ方向に沿って所定の間隔おきに変形コ字型鋼板からなる複数の架橋フレーム（１１２）がそのコ字溝を下向きに開放させた状態で固定されている。この架橋フレーム（１１２）は、下側に配置される一方側下向き片（１１２ａ）が上側に配置される他方側下向き片（１１２ｂ）よりも長く形成されており、側フレーム（１１１）を所定の傾斜姿勢で家屋構造体に取り付けた状態においては、架橋フレーム（１１２）の中間片（１１２ｃ）が、水平に配置されるよう構成されている。
【００５８】
更に各架橋フレーム（１１２）の両下向き片（１１２ａ）（１１２ｂ）における上端部外面には、ビス止め等により、木質系の桟材（１１３）が階段幅方向に沿って連続的に又は部分的に取り付けられて、この桟材（１１３）により段状下地の段部が形成される。
【００５９】
なお、桟材（１１３）としては、単板積層材、無垢材、集成材、合板、中質繊維板等の木質材を、単独又は２種以上組み合わせたもの好適に使用することができる。
【００６０】
本実施形態においては、上記の階段構造体（１１０）に、上記第１実施例と同様の段板（２０）、蹴込板（３０）、段鼻カバー（４０）及び釘類（５３）（５６）等が、上記と同様に施工されて、階段が形成される。
【００６１】
すなわち図１３ないし図１５に示すように、段板（２０）が架橋フレーム（１１２）に載置されるとともに、その段板（２０）の脚部嵌合溝（２３）及び蹴込板挿入溝（２６）に釘類（５３）（５６）が打ち込まれて、階段構造体（１１０）における桟材（１１３）に固定される。
【００６２】
更に段板（２０）の各間に蹴込板（３０）がそれぞれ垂直に配置されるように、下側の段板（２０）の蹴込板挿入溝（２６）に蹴込板（３０）の下端縁が挿入されるとともに、上側の段板（２０）の蹴込板係止用段部（２５）に蹴込板（３０）の上端縁が当接係止される。
【００６３】
更に各段板（２０）の段鼻部（２１）に、段鼻カバー（４０）がそれぞれ装着される。
【００６４】
この第２の実施形態のひな段型階段においても、上記と同様に、同様の効果を得ることができる。
【００６５】
なお上記実施形態においては、桟材（１１３）が架橋フレーム（１１２）の下向き片（１１２ａ）（１１２ｂ）に取り付けられた階段構造体（１１０）を使用する場合について説明しているが、本発明において、桟材（１１３）は、段板固定用の釘類（５３）（５６）を打ち込める位置であればどの位置に取り付けても良い。
【００６６】
例えば図１８に示すように、架橋フレーム（１１２）における中間片（１１２ｃ）の上面両側に、桟材（１１３）を取り付けるようにしても良い。
【００６７】
【発明の効果】
以上のように、本発明のひな段型階段によれば、段板の段鼻部及び基端部を釘類により上面側から段状下地に固定する一方、段鼻部の固定部を段鼻カバーにより被覆するとともに、段板基端部の固定部の前面側に蹴込板を取り付けるようにしているため、段板、蹴込板及び段鼻カバー等の階段構成部材を、階段前面側から配設しつつ、各段板を、その上面側から釘類を打ち込んで側板等の段状下地に固定することができる。このように施工作業をすべて階段前面側から行うことができるので、例えば階段裏面からの面倒な釘打ち作業等が不要となり、簡単に施工することができる。更に段板の基端側を固定している釘類は、蹴込板により隠蔽されるとともに、段板の段鼻部を固定している釘類は、段鼻カバーによって隠蔽されるので、釘類の頭部等が表面に露出するようなことがなく、良好な美観を確保することができる。しかも釘類の隠蔽用の幅木等も省略することができるので、工数が削減し、より一層、施工作業を簡単に行うことができる。また、段鼻カバーの蹴込板抑止部によって蹴込板の上端部を蹴込板係止用段部側に抑止しているため、蹴込板の上部が蹴込板係止用段部に確実に当接係止して、蹴込板のがたつき等も有効に防止することができるという効果が得られる。
【００６８】
本発明において、段鼻カバーの水平部裏面側に嵌合脚部を設けるとともに、その嵌合脚部に対応して、段板の段鼻部に脚部嵌合溝を形成して、嵌合脚部を脚部嵌合溝に嵌合することにより、段鼻カバーを段板に固定する場合には、段鼻カバーを段板に、より確実に固定することができるという利点がある。
【００６９】
更に本発明において、段鼻カバーの傾斜部下端裏面側における蹴込板抑止部を、蹴込板に当接させて、段鼻カバーの傾斜部下端と蹴込板との間に陰影部分としての隙間を形成する場合には、仮に組付誤差等の影響により、蹴込板抑止部と蹴込板との間に隙間が形成されようとも、上記陰影部分に美観的に悪影響が及ぶことがなく、良好な美観を維持することができるという利点がある。
【００７０】
また本発明において、段鼻カバーの裏面側における垂直部と傾斜部との間に段鼻部の先端面下端に係止する挟着用凸部を形成して、段鼻カバーの水平部と挟着用凸部とにより段鼻部を挟持する場合には、段鼻カバーを、より安定した状態に段鼻部に固定することができるという利点がある。
【図面の簡単な説明】
【図１】この発明の第１の実施形態であるひな段型階段を示す側面断面図である。
【図２】第１の実施形態のひな段型階段の要部を示す拡大断面図である。
【図３】第１の実施形態のひな段型階段を要部を分解して示す拡大断面図である。
【図４】この発明に関連した側板を示す側面図であって、同図（ａ）は第１実施形態に適用された側板の側面図、同図（ｂ）〜（ｄ）は変形例としての側板を示す側面図である。
【図５】第１の実施形態に適用された段板を示す側面断面図である。
【図６】変形例としての段板の先端部を示す側面断面図である。
【図７】変形例としての蹴込板取付構造を示す側面断面図である。
【図８】第１の変形例としての段鼻カバーが取り付けられた段鼻部周辺を示す側面断面図である。
【図９】第２の変形例としての段鼻カバーが取り付けられた段鼻部周辺を示す側面断面図である。
【図１０】第３の変形例としての段鼻カバーが取り付けられた段鼻部周辺を示す側面断面図である。
【図１１】変形例としての段板取付構造を示す側面断面図である。
【図１２】変形例としての段板が適用されたひな段型階段を示す側面断面図である。
【図１３】この発明の第２の実施形態であるひな段型階段を示す側面断面図である。
【図１４】第２の実施形態のひな段型階段の要部を示す拡大断面図である。
【図１５】第２の実施形態のひな段型階段を要部を分解して示す拡大断面図である。
【図１６】第２の実施形態に適用された段状下地を示す斜視図である。
【図１７】第２の実施形態に適用された段状下地を示す側面図である。
【図１８】変形例としての段状下地を示す側面図である。
【図１９】従来のひな段型階段を示す側面断面図である。
【図２０】従来のひな段型階段に適用された側板を示す斜視図である。
【符号の説明】
１０…側板（段状下地）
１１…段部
２０…段板
２１…段鼻部
２３…脚部嵌合溝
２５…蹴込板係止用段部
２６…蹴込板挿入溝
３０…蹴込板
４０…段鼻カバー
４１…水平部
４３…嵌合脚部
４５…垂直部
４６…傾斜部
４６ａ…傾斜部下端
４７…折返し部（蹴込板抑止部）
４８…挟着用凸部
５３、５６…釘類
１１０…階段構造体（段状下地）
【図１】
0003678584.tif 000002
【図２】
0003678584.tif 000003
【図３】
0003678584.tif 000004
【図４】
0003678584.tif 000005
【図５】
0003678584.tif 000006
【図６】
0003678584.tif 000007
【図７】
0003678584.tif 000008
【図８】
0003678584.tif 000009
【図９】
0003678584.tif 000010
【図１０】
0003678584.tif 000011
【図１１】
0003678584.tif 000012
【図１２】
0003678584.tif 000013
【図１３】
0003678584.tif 000014
【図１４】
0003678584.tif 000015
【図１５】
0003678584.tif 000016
【図１６】
0003678584.tif 000017
【図１７】
0003678584.tif 000018
【図１８】
0003678584.tif 000019
【図１９】
0003678584.tif 000020
【図２０】
0003678584.tif 000021